(57)【特許請求の範囲】
【請求項１】
踏板受け具と、カバーと、カバー取付具と、下端キャップとを備え、踏板受け具は、支持体に固定される支持壁と、垂直方向に連続する中空部と、中空部のコーナー部近傍に設けた複数の踏板取付用のタッピングホールを有し、上側が下側よりも支持壁から張り出すように斜めに切断してあり、カバー取付具は、踏板受け具のタッピングホール間に係止して設けられ、タッピングホールよりも支持壁から離れた位置でカバー裏面を係合支持しており、下端キャップは、踏板受け具の垂直壁に固着され、カバーの下端を載置支持していることを特徴とする階段。
【発明の詳細な説明】
【技術分野】
【０００１】
本発明は、らせん階段等の階段に関する。
【背景技術】
【０００２】
従来のらせん階段は、支柱の周囲に踏板受け具を取付け、踏板受け具に踏板を載置してネジで固定している。踏板受け具は、階段を上るときにつま先が当たらないようにするため、踏板を載置する上面側が下面側よりも支柱外周側に大きく張り出すように外周側を斜めにカットすることがあるが、この場合、踏板受け具小口などを隠すカバーを取付ネジの頭部を見せることなく、また脱落しないように取付けるのは容易ではなかった。
【発明の概要】
【発明が解決しようとする課題】
【０００３】
本発明は以上に述べた実情に鑑み、踏板受け具にカバーを容易に且つ安定して取付けできるようにすることを目的とする。
【課題を解決するための手段】
【０００４】
上記の課題を達成するために請求項１記載の発明による階段は、踏板受け具と、カバーと、カバー取付具と、下端キャップとを備え、踏板受け具は、支持体に固定される支持壁と、垂直方向に連続する中空部と、中空部のコーナー部近傍に設けた複数の踏板取付用のタッピングホールを有し、上側が下側よりも支持壁から張り出すように斜めに切断してあり、カバー取付具は、踏板受け具のタッピングホール間に係止して設けられ、タッピングホールよりも支持壁から離れた位置でカバー裏面を係合支持しており、下端キャップは、踏板受け具の垂直壁に固着され、カバーの下端を載置支持していることを特徴とする。
【発明の効果】
【０００５】
請求項１記載の階段は、踏板受け具が上側が下側よりも支持壁から張り出すように斜めに切断してあるので、階段を上る時につま先が踏板受け具に当たるのを防止でき、踏板受け具の踏板取付用のタッピングホール間に係止してカバー取付具を設け、踏板受け具の垂直壁に固着して下端キャップを設け、カバーはタッピングホールよりも支持壁から離れた位置でカバー取付具に裏面を係合支持すると共に、下端を下端キャップに載置支持したので、踏板受け具の斜めの切断小口の形態によらず、カバーを容易に且つ安定して取付けることができる。カバー取付具を踏板受け具のタッピングホール間に係止して設けたので、カバー取付具を簡単に且つ安定して取付けでき、しかも踏板受け具にカバー取付具のための係止部を別に設ける必要がないので、合理的である。
【図面の簡単な説明】
【０００６】
【図１】踏板の支柱への取付部分を拡大して示す一部切欠側面図である。
【図２】踏板の支柱への取付部分を拡大して示す一部切欠平面図である。
【図３】らせん階段の正面図である。
【図４】（ａ）は踏板受け具の平面図、（ｂ）は同側面図、（ｃ）は同正面図である。
【図５】（ａ）はカバー取付具のＸ方向矢視図、（ｂ）は同側面図、（ｃ）は同正面図である。
【図６】（ａ）はカバーのＹ方向矢視図、（ｂ）は同側面図である。
【図７】（ａ）は下端キャップの平面図、（ｂ）は同側面図、（ｃ）は同正面図である。
【図８】本発明の要部の組付け手順を示す側面図である。
【図９】踏板の支柱への取付部分の他の実施形態を示す一部切欠側面図である。
【図１０】図９のＡ−Ａ断面図である。
【図１１】（ａ）は図９の実施形態に用いるカバー取付具のＺ方向矢視図、（ｂ）は同側面図、（ｃ）は同正面図である。
【発明を実施するための形態】
【０００７】
以下、本発明の実施の形態を図面に基づいて説明する。図３は、本発明の一実施形態に係るらせん階段を示している。本らせん階段は、建物の躯体に固定して鉛直に設けた支柱５と、支柱５の周囲にらせん状に配置された複数の踏板１０，１０，…と、踏板１０，１０，…の外周に沿って設けたらせん状の手摺１１を備える。支柱５、踏板１０及び手摺１１は、アルミ製である。
【０００８】
支柱５は、図２に示すように、円筒状となっており、外周面に所定の角度刻みで溝１２が長手方向に形成されている。
踏板１０は、平面視略扇形に形成され、図１に示すように、内周側部を支柱５に固定した踏板受け具１上に載置し、上方からの４本のボルト１３で踏板受け具１に固定してある。
【０００９】
踏板受け具１は、アルミ押出形材から形成したものであり、図１，２，４に示すように、上下方向を押出方向として配置され、支柱５の外周面に当接する支持壁６と、支持壁６から外周側に離間して配置された外周側壁１４と、左右の側壁９，９とで、垂直方向に連続する略矩形の中空部７が形成されている。踏板受け具１の上面と下面は水平に切断され、外周側は上側が下側よりも支持壁６から張り出すように斜めに切断してある。踏板受け具１は、図２に示すように、支持壁６と左右の側壁９，９とのコーナー部と、外周側壁１４よりも外周側の外周側壁１４と左右の側壁９，９とのコーナー部の計４箇所に、踏板１０取付用のボルト１３が捩じ込まれるタッピングホール８ａ，８ａ，８ｂ，８ｂを有している。外周側のタッピングホール８ｂと外周側壁１４との間には、若干隙間１６を設けてある。支持壁６は、内周側面６ａが支柱５の外周側面に沿うように凹曲面に形成され、外周側面６ｂは平らな垂直面になっている。支持壁６の内周側面６ａの中央部には、上下方向に突条１７を有しており、この突条１７を支柱５外周面の溝１２に係止させることで、踏板受け具１を鉛直に且つ上下の踏板受け具１で所定の角度ずつずらして配置するのが容易になっている。踏板受け具１は、図１に示すように、支持壁６の上下２箇所を支柱５にボルト１８ａ，１８ｂで固定している。外周側壁１４には、上側のボルト１８ａを締め付けるための工具の逃がし孔１９が形成されている。
【００１０】
上述のように踏板受け具１の外周側が斜めに切断され、斜め切断された小口２０には、図４（ｃ）に示すように、外周側のタッピングホール８ｂ，８ｂと外周側壁１４が斜めに切断された状態で露出しているため、この斜め切断小口２０にカバー２を直接係合取付けするのは容易ではない。そこで本らせん階段では、図１，２に示すように、踏板受け具１の外周側壁１４よりも外周側の側壁９，９間にカバー取付具３を設け、カバー取付具３にカバー２を係合させている。
カバー取付具３は樹脂製で、図５に示すように、横長の長方形の取付板部２１が垂直に形成され、取付板部２１より一対の突出壁２２，２２が前方にのび、突出壁２２，２２の先端にカバー係止部２３が斜め切断小口２０と同一の角度で傾斜して設けてある。カバー係止部２３は、両側の側縁部２３ａ，２３ａが後向きに曲がった傘型の断面形状となっている。取付板部２１には中央にネジの挿通孔２４が設けてあり、カバー係止部２３にはネジの逃がし孔２５が設けてある。
カバー取付具３は、図１，２に示すように、取付板部２１の両側の側縁部を踏板受け具１の外周側壁１４とタッピングホール８ｂ，８ｂ間の隙間１６に差し入れ、取付板部２１をタッピングホール８ｂ，８ｂ間に係止した状態で外周側からネジ２６で固定してある。カバー係止部２３は、踏板受け具１の斜め切断小口２０よりも外周側に突出している。
【００１１】
カバー２は、図６に示すように、アルミ押出形材を斜めに切断して形成している。カバー２は、幅方向の中央部が前方に膨らむように円弧状に湾曲し、両側の縁部に折返し部２７，２７を有している。カバー２の裏面には、係止突条２８，２８が間隔をあけて２本設けてあり、裏面の上部側にはスポンジ状の緩衝材２９が貼り付けてある。
カバー２は、図１，２に示すように、カバー取付具３のカバー係止部２３の両側の縁部２３ａ，２３ａを係止突条２８，２８間に係止させて取付けられ、折り返し部２７，２７が踏板受け具１の側壁９，９の外側に重なり、踏板受け具１の斜め切断小口２０を隠している。カバー２の裏面に設けた緩衝材２９が、カバー取付具３のカバー係止部２３に押付けられることで、係止突条２８，２８がカバー係止部２３に安定して係止し、カバー２のがたつきを抑制できる。
【００１２】
踏板受け具１の下部には、樹脂製の下端キャップ４を設けてある。下端キャップ４は、図７に示すように、垂直な取付板部３０と底板部３１を有し、取付板部３０にはボルト１８ｂが挿通される上下方向の長孔３２が形成してある。下端キャップ４は、図１に示すように、取付板部３０を支持壁６の外周側面６ｂに当接し、踏板受け具１を支柱５に取付けている下側のボルト１８ｂにより固定されており、下端キャップ４の底板部３１が踏板受け具１とカバー２の下側の小口を隠し、且つカバー２の下端を底板部３１に載置支持している。
【００１３】
次に、各部品の組付け手順を説明する。まず、図８（ａ）に示すように、踏板受け具１の支持壁６を支柱５の外周面に当接し、上下２本のボルト１８ａ，１８ｂで固定する。このとき、下側のボルト１８ｂで下端キャップ４の取付板部３０を支持壁６と共締めする。次に図８（ｂ）に示すように、カバー取付具３の取付板部２１を踏板受け具１の外周側壁１４とタッピングホール８ｂ，８ｂの間の隙間１６に下方より差し入れ、取付板部２１をタッピングホール８ｂ，８ｂ間に係止させた上でネジ２６で固定する。次に、図８（ｃ）に示すように、カバー２を裏面の係止突条２８，２８をカバー取付具３のカバー係止部２３に係止支持させると共に、下端キャップ４の底板部３１に載置支持して取付ける。その後、踏板受け具１の上面に踏板１０を載置し、ボルト１３をタッピングホール８ａ，８ｂに捩じ込んで踏板１０を固定する。
【００１４】
以上に述べたように本らせん階段は、踏板受け具１が上側が下側よりも外周側に張り出すように外周側を斜めに切断してあるので、階段を上る時につま先が踏板受け具１に当たるのを防止でき、踏板受け具１の踏板１０取付用のタッピングホール８ｂ，８ｂ間に係止してカバー取付具３を設け、タッピングホール８ｂよりも外周側に離れた位置でカバー取付具３にカバー２裏面を係合支持することで、踏板受け具１がそのように斜めに切断してあっても、その切断小口２０の形態によらず、またタッピングホール８ｂに邪魔されることもなく、カバー２を容易且つ確実に係合させられ、さらにカバー２の下端を下端キャップ４の底板３１に載置支持しているので、カバー２を落下することがないように安定して取付けできる。また、ネジやボルトの頭部が外部に露出しないので、意匠性が優れている。カバー取付具３を、踏板受け具１のタッピングホール８ｂ，８ｂ間に係止して設けたので、カバー取付具３を簡単に且つ安定して取付けでき、しかも踏板受け具１にカバー取付具３のための係止部を別に設ける必要がないので、合理的である。踏板受け具１の中空部７の各コーナー部近傍にタッピングホール８ａ，８ｂを設けることで、タッピングホール８ａ，８ｂ同士のピッチをできるだけ広くとることができ、これにより踏板１０の取付強度が高められる。カバー２が、樹脂製のカバー取付具３と下端キャップ４により取付けてあるため、らせん階段を人が上り下りするときの震動に起因して発生する不快な金属同士のこすれ音の発生を防止することができる。さらに、カバー１の裏面とカバー係止部２３間に緩衝材２９を挟み込んでいるので、階段昇降時の震動やカバー２を足で蹴ったときでも、音が鳴るのをより確実に防止できる。
【００１５】
図９，１０は、踏板１０の支柱５への取付部分の他の実施形態を示しており、図１１はこれに用いられるカバー取付具３を示している。カバー取付具３以外の部品は、先の実施形態と同じものを用いている。カバー取付具３は、取付板部２１の上側の中央部に係止爪３３が設けてあり、取付板部２１の両側の下部に板バネ状の当接片３４を設けてあり、係止爪３３が踏板受け具１の外周側壁１４の逃がし孔１９の下縁に係止することで、カバー取付具３が下に下がるのを規制し、当接片３４が外周側壁１４とタッピングホール８ｂ，８ｂ間でつっぱり、取付板部２１を外周側壁１４に押付けている。
本実施形態によれば、カバー取付具３の取付時に、取付板部２１を踏板受け具１の外周側壁１４とタッピングホール８ｂ，８ｂ間に下方より差し入れ、上方にスライドさせて係止爪３３を外周側壁１４の逃がし孔１９に係止させるだけで、カバー取付具３を安定して取付けでき、ネジ２６が不要になるため、施工性がより一層向上する。
【００１６】
本発明は以上に述べた実施形態に限定されない。踏板受け具１やカバー取付具３、カバー２等の各部品の形状、材質は、適宜変更することができる。本発明は、らせん階段に限らず、直線状の階段にも適用できる。
【符号の説明】
【００１７】
１  踏板受け具
２  カバー
３  カバー取付具
４  下端キャップ
５  支柱（支持体）
６  支持壁
６ｂ  支持壁の外周側面（垂直壁）
７  中空部
８ａ，８ｂ  タッピングホール
９  側壁
１０  踏板
【図１】
0005710348.tif 000002
【図２】
0005710348.tif 000003
【図３】
0005710348.tif 000004
【図４】
0005710348.tif 000005
【図５】
0005710348.tif 000006
【図６】
0005710348.tif 000007
【図７】
0005710348.tif 000008
【図８】
0005710348.tif 000009
【図９】
0005710348.tif 000010
【図１０】
0005710348.tif 000011
【図１１】
0005710348.tif 000012